(57)【要約】【課題】  設置スペースの削減を図れると共に、浄水器外部への水漏れも殆ど無く、然も、コストの低減等を図れるようにする。【解決手段】  原水の流入口４ａ及び浄水の流出口４ｂを有し、流入口４ａから流入した原水Ｗを浄化するカートリッジフィルターＢを着脱自在に収容した浄水器用容器Ａに於いて、前記浄水器用容器Ａ内に、原水Ｗの浄化時には流入口４ａから流入した原水ＷをカートリッジフィルターＢを通過させてから流出口４ｂへ流すと共に、カートリッジフィルターＢの交換時や保守点検時には流入口４ａから流入した原水Ｗを直接流出口４ｂへ流す切り換え操作可能なバイパス切換弁Ｖを内蔵し、当該バイパス切換弁Ｖの操作ハンドル１０Ｃを浄水器用容器Ａ外に配設する。【選択図】      図１
2008104902.tif 000002
【特許請求の範囲】
【請求項１】
原水（Ｗ）の流入口（４ａ）及び浄水（Ｗ′）の流出口（４ｂ）を有し、流入口（４ａ）から流入した原水（Ｗ）を浄化するカートリッジフィルター（Ｂ）を着脱自在に収容した浄水器用容器（Ａ）に於いて、前記浄水器用容器（Ａ）内に、原水（Ｗ）の浄化時には流入口（４ａ）から流入した原水（Ｗ）をカートリッジフィルター（Ｂ）を通過させてから流出口（４ｂ）へ流すと共に、カートリッジフィルター（Ｂ）の交換時や保守点検時には流入口（４ａ）から流入した原水（Ｗ）を直接流出口（４ｂ）へ流す切り換え操作可能なバイパス切換弁（Ｖ）を内蔵し、当該バイパス切換弁（Ｖ）の操作ハンドル（１０Ｃ）を浄水器用容器（Ａ）外に配設したことを特徴とする浄水器用容器。
【請求項２】
バイパス切換弁（Ｖ）が、浄水器用容器（Ａ）の流入口（４ａ）に接続されて原水（Ｗ）が流入する原水流入口（７ａ）と、浄水器用容器（Ａ）内に開放されて原水（Ｗ）を浄水器用容器（Ａ）内へ放出する原水流出口（７ｃ）と、カートリッジフィルター（Ｂ）に接続されて浄水（Ｗ′）が流入する浄水流入口（７ｄ）と、浄水器用容器（Ａ）の流出口（４ｂ）に接続されて原水（Ｗ）又は浄水（Ｗ′）が流出する原水浄水流出口（７ｅ）とを備えており、操作ハンドル（１０Ｃ）の切り換え操作によって、浄水器用容器（Ａ）の流入口（４ａ）及び原水流入口（７ａ）から流入した原水（Ｗ）を浄水器用容器（Ａ）内へ放出し、カートリッジフィルター（Ｂ）を通過した浄水（Ｗ′）を浄水流入口（７ｄ）へ流入させて原水浄水流出口（７ｅ）から浄水器用容器（Ａ）の流出口（４ｂ）へ流す浄水方向と、浄水器用容器（Ａ）の流入口（４ａ）及び原水流入口（７ａ）から流入した原水（Ｗ）を原水浄水流出口（７ｅ）から直接浄水器用容器（Ａ）の流出口（４ｂ）へ流すバイパス方向とに切り換え操作可能な四方切換弁であることを特徴とする請求項１に記載の浄水器用容器。
【請求項３】
バイパス切換弁（Ｖ）が、原水（Ｗ）が流入する原水流入口（７ａ）、原水（Ｗ）を浄水器用容器（Ａ）内へ放出する原水流出口（７ｃ）、浄水（Ｗ′）が流入する浄水流入口（７ｄ）、原水（Ｗ）又は浄水（Ｗ′）が流出する原水浄水流出口（７ｅ）を夫々備えたボディ（７）と、ボディ（７）内に配設され、原水流入口（７ａ）に連通する原水流入穴（８ａ）、原水流出口（７ｃ）に連通する原水流出穴（８ｂ）、浄水流入口（７ｄ）に連通する浄水流入穴（８ｃ）、原水浄水流出口（７ｅ）に連通する原水浄水流出穴（８ｄ）を夫々備えた固定弁座体８と、固定弁座体８に気密状態で且つ摺動回転自在に当接し、水の流れを浄水方向とバイパス方向とに切り換える弁体（９）と、浄水器用容器（Ａ）外に位置する操作ハンドル（１０Ｃ）を有し、弁体（９）を回転操作する操作部（１０）とから構成されていることを特徴とする請求項２に記載の浄水器用容器。
【発明の詳細な説明】
【技術分野】
【０００１】
本発明は、主に一般家庭やマンション等の水道管の途中（例えば、水道メーターの下流側に位置する水道管）や台所の蛇口等に取り付けられて飲料用や調理用、洗面用、風呂用等に用いる水道水を浄化処理する家庭用の浄水器に用いられ、水道水に含まれている塩素や有機物等の有害物質を除去して水道水を浄化処理するカートリッジフィルターを収容する浄水器用容器の改良に係り、特に、水道水をバイパスさせるバイパス機能を有するバイパス切換弁を内蔵し、浄水器のカートリッジフィルターの交換時や浄水器の保守点検時等に水道水の流れを止めることなく、カートリッジフィルターの交換や浄水器の保守点検等を行えるようにすると共に、設置スペースの削減等を図れるようにした浄水器用容器に関するものである。
【背景技術】
【０００２】
近年、公共の水道水の水質の悪化が問題となっている。これは、水道水の原水そのものの水質が悪化しており、それに伴って浄水場に於いて、酸化剤や滅菌剤として塩素を多量に注入する必要が生じているからである。
水質自体が悪化したり、水道水に多量の塩素が含まれていると、味が悪くなったり、異臭がしたり、更には人体の健康上の点からも好ましくない。そのため、一般家庭やマンション等の集合住宅に於いては、水道水を浄化処理する浄水器が使用されることが多くなって来ている。この家庭用の浄水器は、水道メーターの下流側に位置する水道管や台所の蛇口等に取り付けられているのが一般的である。
【０００３】
従来、この種の家庭用の浄水器としては、例えば、一般家庭等の水道メーターの下流側に位置する水道管に介設されて給湯器や台所、浴室、洗面所等で使用する全ての水道水をまとめて浄化処理するようにした浄水器が知られている（例えば、特許文献１参照）。
【０００４】
即ち、前記家庭用の浄水器は、図示していないが、水道水の流入口及び浄化された水道水の流出口を形成した開閉可能な密閉状の容器と、容器内に着脱自在に内蔵されたカートリッジフィルターとから構成されており、容器の流入口及び流出口が水道メーターの下流側に位置する水道管に夫々連通状に接続されている。
従って、この浄水器によれば、水道メーターを通った水道水が全て浄水器に流入し、ここで浄化処理されてから浄水器の下流側の水道管に接続された複数の分岐管を介して給湯器、台所、洗面所、浴室等へ夫々供給されることになり、家庭内で使用する全ての水道水をまとめて浄化処理することができる。
【０００５】
ところで、家庭用の浄水器に於いては、浄水器を長期間使用していると、カートリッジフィルターに目詰まりが生じて必要とする水量を得ることができない等、様々なトラブルが生じるため、浄水器のカートリッジフィルターの交換や浄水器の保守点検等が行われている。
【０００６】
ところが、上述した浄水器は、家庭内で使用する全ての水道水を浄水器内へ通すようにしているため、カートリッジフィルターの交換時や浄水器の保守点検時等には浄水器の上流側の水道管に介設した止水弁を閉鎖し、水道水の流れを完全に止めてからカートリッジフィルターの交換や浄水器の保守点検等を行わなければならなかった。その結果、この浄水器に於いては、カートリッジフィルターの交換時等には給水を停止しなければならず、この間家庭内で水道水を使用することができないうえ、水道水の流れを止めるための厄介な作業を必要とすると云う問題があった。
【０００７】
そこで、本件発明者等は、上述した問題を解決するため、バイパス機能を有する新しいタイプの浄水器を開発し、これを特開２００４−３３００５７号公報（特許文献２）として公開されている。
即ち、前記浄水器は、図１３に示す如く、水道水Ｗを浄化するカートリッジフィルター（図示省略）を容器内に収容して成る浄水器本体２０と、浄水器本体２０の水道水Ｗの入口２０ａにユニオンナット２１を介して接続された流入側ガイド管２２と、浄水器本体２０の水道水Ｗの出口２０ｂにユニオンナット２１を介して接続された流出側ガイド管２３と、流入側ガイド管２２及び流出側ガイド管２３の端部に夫々接続された左右の三方弁２４，２４と、左右の三方弁２４，２４同士を連通状に接続するバイパス管２５とから構成されており、流入側ガイド管２２に接続された三方弁２４に上流側の水道管が、又、下流側ガイド管２３に接続された三方弁２４に下流側の水道管が夫々接続されている。
【０００８】
而して、前記浄水器を用いて水道水Ｗを浄化するには、上流側の水道管からの水道水Ｗが浄水器本体２０内を通過するように左右の三方弁２４，２４を切り換え操作する。そうすると、上流側の水道管からの水道水Ｗは、流入側ガイド管２２を経て浄水器本体２０内に流入し、浄水器本体２０内のカートリッジフィルターにより浄化された後、流出側ガイド管２３、三方弁２４及び下流側の水道管を通って室内へ送られ、飲料用や調理用等に使用される。
又、カートリッジの交換時等には、上流側の水道管からの水道水Ｗがバイパス管２５を経て下流側の水道管へ流れるように左右の三方弁２４，２４を切り換え操作し、この状態で浄水器本体２０内のカートリッジの交換等を行う。このとき、水道水Ｗの流れをバイパス管２５側へ切り換えているため、水道水Ｗの流れを止めることなく、カートリッジの交換等を行うことができる。
【０００９】
しかし、上述したバイパス機能を有する浄水器に於いては、バイパス機能を構成する流入側ガイド管２２、流出側ガイド管２３、左右の三方弁２４，２４及びバイパス管２５が、浄水器本体２０の周囲に夫々単独で配置された格好になっているため、浄水器が大型化して浄水器を設置する際に広い設置スペースを必要とすると云う問題があった。特に、個人住宅に設置する際には、狭い設置スペースしかない場合があり、浄水器を設置することができないこともあった。
又、この浄水器に於いては、バイパス機能を構成する流入側ガイド管２２、流出側ガイド管２３、左右の三方弁２４，２４及びバイパス管２５が浄水器本体２０を形成する容器の外側に配置されているため、各部材の接続部から水漏れが発生し易いと云う問題があった。
更に、この浄水器のバイパス機能は、銅合金製の三方弁２４，２４を２個必要とするため、コストの高騰を招くと云う問題があった。
そのうえ、この浄水器のバイパス機能は、浄水器本体２０に流入側ガイド管２２及び流出側ガイド管２３を接続すると共に、流入側ガイド管２２及び流出側ガイド管２３に左右の三方弁２４，２４を夫々接続し、両三方弁２４，２４同士をバイパス管２５で連通状に接続することにより構成されているため、バイパス機能を浄水器本体２０へ取り付ける際に極めて手数が掛かり、浄水器の組立に手間取ると云う問題もあった。
【特許文献１】特開２００２−５９１５３号公報
【特許文献２】特開２００４−３３００５７号公報
【発明の開示】
【発明が解決しようとする課題】
【００１０】
本発明は、このような問題点に鑑みて為されたものであり、その目的は設置スペースの削減を図れると共に、浄水器外部への水漏れも殆ど無く、然も、コストの低減等を図れるようにした浄水器用容器を提供することにある。
【課題を解決するための手段】
【００１１】
上記目的を達成する為に、本発明の請求項１の発明は、原水の流入口及び浄水の流出口を有し、流入口から流入した原水を浄化するカートリッジフィルターを着脱自在に収容した浄水器用容器に於いて、前記浄水器用容器内に、原水の浄化時には流入口から流入した原水をカートリッジフィルターを通過させてから流出口へ流すと共に、カートリッジフィルターの交換時や保守点検時には流入口から流入した原水を直接流出口へ流す切り換え操作可能なバイパス切換弁を内蔵し、当該バイパス切換弁の操作ハンドルを浄水器用容器外に配設したことに特徴がある。
【００１２】
本発明の請求項２の発明は、請求項１の発明に於いて、バイパス切換弁が、浄水器用容器の流入口に接続されて原水が流入する原水流入口と、浄水器用容器内に開放されて原水を浄水器用容器内へ放出する原水流出口と、カートリッジフィルターに接続されて浄水が流入する浄水流入口と、浄水器用容器の流出口に接続されて原水又は浄水が流出する原水浄水流出口とを備えており、操作ハンドルの切り換え操作によって、浄水器用容器の流入口及び原水流入口から流入した原水を浄水器用容器内へ放出し、カートリッジフィルターを通過した浄水を浄水流入口へ流入させて原水浄水流出口から浄水器用容器の流出口へ流す浄水方向と、浄水器用容器の流入口及び原水流入口から流入した原水を原水浄水流出口から直接浄水器用容器の流出口へ流すバイパス方向とに切り換え操作可能な四方切換弁であることに特徴がある。
【００１３】
本発明の請求項３の発明は、請求項２の発明に於いて、バイパス切換弁が、原水が流入する原水流入口、原水を浄水器用容器内へ放出する原水流出口、浄水が流入する浄水流入口、原水又は浄水が流出する原水浄水流出口を夫々備えたボディと、ボディ内に配設され、原水流入口に連通する原水流入穴、原水流出口に連通する原水流出穴、浄水流入口に連通する浄水流入穴、原水浄水流出口に連通する原水浄水流出穴を夫々備えた固定弁座体と、固定弁座体に気密状態で且つ摺動回転自在に当接し、水の流れを浄水方向とバイパス方向とに切り換える弁体と、浄水器用容器外に位置する操作ハンドルを有し、弁体を回転操作する操作部とから構成されていることに特徴がある。
【発明の効果】
【００１４】
本発明の浄水器用容器は、浄水器用容器の流入口から浄水器用容器内に流入した原水を直接浄水器用容器の流出口へ流すバイパス機能を有するバイパス切換弁を内蔵し、当該バイパス切換弁の操作部を浄水器用容器外へ配設する構成としているため、従来のように浄水器用容器の周囲にバイパス機能を構成する三方弁やバイパス管等を配置した浄水器に比較して大幅なコンパクトを図れる。その結果、本発明の浄水器用容器を用いた浄水器は、容器本体の設置スペースで設置が可能であり、設置スペースが小さくて済み、マンション等の狭い設置スペースであっても、設置が可能となる。
又、本発明の浄水器用容器は、バイパス機能を有するバイパス切換弁を内蔵しているため、従来のようにバイパス機能を構成する三方弁やバイパス管等を浄水器用容器外に出した浄水器に比較して外部への水漏れの可能性が殆ど無くなり、シール性に優れた浄水器を得ることかできる。
更に、本発明の浄水器用容器は、四方切換弁から成るバイパス切換弁を一つだけ内蔵しているため、従来のように三方弁を２個必要とする浄水器に比較してコストの低減を図れると共に、組立も簡単且つ容易に行える。
【発明を実施するための最良の形態】
【００１５】
以下、本発明の実施の形態を図面に基づいて詳細に説明する。
図１乃至図３は本発明の実施の形態に係る浄水器用容器Ａを示し、当該浄水器用容器Ａは、一般家庭やマンション等の水道メーターの下流側に位置する水道管や台所の蛇口等に取り付けられて飲料用や調理用、洗面用、風呂用等に用いる水道水Ｗ（原水）を浄化処理する家庭用の浄水器に用いられ、水道水Ｗに含まれている塩素や有機物等の有害物質を除去して水道水Ｗを浄化するカートリッジフィルターＢを着脱自在に収容するものであり、水道水Ｗをバイパスさせるバイパス機能を有するバイパス切換弁Ｖを内蔵し、浄水器のカートリッジフィルターＢの交換時や浄水器の保守点検時等に水道水Ｗの流れを止めることなく、カートリッジフィルターＢの交換や浄水器の保守点検等を行えるようにすると共に、設置スペースの削減及びコストの低減等を図れるようにしたものである。
【００１６】
尚、カートリッジフィルターＢは、浄水器用容器Ａ内に着脱自在に収容されており、従来公知のものと同様構造に構成されている。
即ち、カートリッジフィルターＢは、図１及び図２に示す如く、水道水Ｗに含まれている比較的大きな異物を除去する円筒状の濁度フィルター１と、濁度フィルター１内に同心円上に配置され、水道水Ｗに含まれている塩素やトリハロメタン等の有害物質を除去する円筒状の繊維状活性炭フィルター（図示省略）と、繊維状活性炭フィルター内に同心円上に配置され、水道水Ｗを活性化するセラミックフィルター（図示省略）と、繊維状活性炭フィルターの上面側に配設したフィルター押え２と、繊維状活性炭フィルターの下面側に配設したフィルター受け台３とから構成されており、フィルター受け台３の底面の中央部に浄化された水道水Ｗ′（浄水）の流出口が設けられていると共に、カートリッジフィルターＢの外周面に位置する濁度フィルター１部分が水道水Ｗ（原水）の流入口となっている。
【００１７】
前記浄水器用容器Ａは、図１及び図２に示す如く、水道水Ｗ（原水）の流入口４ａ及び浄化された水道水Ｗ′（浄水）の流出口４ｂを有する有底筒状の容器本体４と、容器本体４の上方開口部を開閉するキャップ５と、容器本体４とキャップ５とを締め付け固定する半割り構造の環状のクランプ６と、容器本体４内の底部に配設されたバイパス機能を有するバイパス切換弁Ｖとから成り、縦長の開閉可能な密閉状の容器に構成されている。この浄水器用容器Ａは、クランプ６を弛めてキャップ５を容器本体４から取り外すことによって、内部に収容したカートリッジフィルターＢを交換できるようになっている。
【００１８】
具体的には、容器本体４は、図２に示す如く、耐食性及び耐熱性等に優れたステンレス材（又はプラスチック材）により有底筒状に形成されており、円板状の底壁部４ｃと、底壁部４ｃの外周縁部に気密状に設けた上向きの筒状の周壁部４ｄと、周壁部４ｄの上端に気密状に設けた環状のフランジ部４ｅとから成る。
又、容器本体４の周壁部４ｄの下端部位置には、水道水Ｗの流入口４ａを形成する直管状の入口側配管４ｆと水道水Ｗ′の流出口４ｂを形成する直管状の出口側配管４ｇとが対向状態で且つ気密状に挿通固着されている。これら入口側配管４ｆ及び出口側配管４ｇの先端部は、ユニオンナット（図示省略）を介して上流側の水道管及び下流側の水道管（図示省略）に夫々接続されている。
【００１９】
キャップ５は、図２に示す如く、耐食性及び耐熱性等に優れたステンレス材（又はプラスチック材）により略お椀形状に形成されており、お椀状の天井壁部５ａと、天井壁部５ａの外周縁部に連設されて容器本体４のフランジ部４ｅに嵌合される環状のフランジ部５ｂとから成る。
又、キャップ５の中央部には、キャップ５内に溜まる空気を外部へ逃がす空気抜き弁（図示省略）が挿着される挿着穴５ｃが形成されている。
【００２０】
クランプ６は、図２に示す如く、断面形状がコの字形の環状部材を半割りにすることにより形成され、容器本体４のフランジ部４ｅ及びキャップ５のフランジ部５ｂに密接する状態で嵌め込まれるステンレス材製（又はプラスチック製）の二つの円弧状部材６ａと、二つの円弧状部材６ａの一端部同士を回動自在に連結する連結軸６ｂと、二つの円弧状部材６ａの他端部同士を着脱自在に連結固定するボルト等の緊締具６ｃとから成り、容器本体４のフランジ部４ｅとキャップ５のフランジ部５ｂに二つの円弧状部材６ａを密接する状態で嵌め込み、両円弧状部材６ａの他端部同士を緊締具６ｃで連結固定することによって、容器本体４のフランジ部４ｅとキャップ５のフランジ部５ｂを気密状に締め付け固定することができる。
【００２１】
前記バイパス切換弁Ｖは、図４乃至図７に示す如く、浄水器用容器Ａの流入口４ａから流入した水道水Ｗ（原水）を浄水器用容器Ａ内へ放出してカートリッジフィルターＢを通過した浄化された水道水Ｗ′（浄水）を浄水器用容器Ａの流出口４ｂへ流す浄水方向と、浄水器用容器Ａの流入口４ａから流入した水道水Ｗ（原水）をカートリッジフィルターＢを通過させずに直接浄水器用容器Ａの流出口４ｂへ流すバイパス方向とに切り換え操作可能な四方切換弁に構成されており、原水流入口７ａ、原水流出口７ｃ、浄水流入口７ｄ、原水浄水流出口７ｅ、弁室７ｇ、原水流入通路７ｈ、原水流出通路７ｉ、浄水流入通路７ｊ及び原水浄水流出通路７ｋを備えたボディ７と、ボディ７の弁室７ｇ内に配設され、原水流入穴８ａ、原水流出穴８ｂ、浄水流入穴８ｃ及び原水浄水流出穴８ｄを備えた固定弁座体８と、ボディ７の弁室７ｇ内に配設され、固定弁座体８に気密状態で且つ摺動回転自在に当接して水道水Ｗの流れを切り換える弁体９と、浄水器用容器Ａ外に位置する操作ハンドル１０Ｃを有し、弁体９を回転操作する操作部１０とから成る。
【００２２】
前記ボディ７は、図８に示す如く、プラスチック材又は金属材により形成されたボディ本体７′と、ボディ本体７′に形成した弁室７ｇを密封状に覆うプラスチック材又は金属材により形成されたカバー７″とから成り、ボディ本体７′の弁室７ｇをカバー７″で密封状に覆い、両者をボルト・ナット等の緊締具１１で締め付け固定することにより組み立てられている。
【００２３】
具体的には、ボディ本体７′は、図８及び図９に示す如く、浄水器用容器Ａの流入口４ａに接続されて水道水Ｗ（原水）が流入する左向きの原水流入口７ａを形成する筒状の原水流入用接続部７ｂと、浄水器用容器Ａ内に開放されて水道水Ｗを浄水器用容器Ａ内へ放出する後向きの原水流出口７ｃと、カートリッジフィルターＢの流出口側に接続されて浄水が流入する上向きの浄水流入口７ｄと、浄水器用容器Ａの流出口４ｂに接続されて水道水Ｗ又は浄化された水道水Ｗ′（浄水）が流出する右向きの原水浄水流出口７ｅを形成する筒状の原水浄水流出用接続部７ｆと、円形に形成されて前面側へ開放された前向きの弁室７ｇと、原水流入口７ａと弁室７ｇとを連通する原水流入通路７ｈと、原水流出口７ｃと弁室７ｇとを連通する原水流出通路７ｉと、浄水流入口７ｄと弁室７ｇとを連通する浄水流入通路７ｊと、原水浄水流出口７ｅと弁室７ｇとを連通する原水浄水流出通路７ｋと、浄水流入口７ｄの周囲に形成されてカートリッジフィルターＢの流出口側が着脱自在に挿着される上向きの筒状のフィルター支持部７ｌとを備えている。
又、ボディ本体７′の弁室７ｇ底面の原水流入通路７ｈの出口周囲、原水流出通路７ｉの入口周囲、浄水流入通路７ｊの出口周囲及び原水浄水流出通路７ｋの入口周囲には、シール用のＯリング１２が嵌め込まれるＯリング溝７ｍが形成されており、各Ｏリング溝７ｍに嵌め込んだＯリング１２によって、弁室７ｇ内に挿入される固定弁座体８との間をシールするようになっている。
更に、ボディ本体７′の弁室８ｇ底面には、固定弁座体８を位置決めするための位置決め突起７ｏが複数形成されている。
【００２４】
一方、カバー７″は、図８及び図９に示す如く、ボディ本体７′の弁室７ｇを覆うようにボディ本体７′にＯリング１２を介して気密状に嵌合されており、その中央部には後述する操作部１０を形成するディスクハンドル１０Ａの軸部１０ｃが気密状に挿通される軸穴７ｎが形成されている。
又、カバー７″の内面には、ディスクハンドル１０Ａに形成した円弧状の切欠１０ｄに挿入されてディスクハンドル１０Ａの回転角度を規制する突起（図示省略）が形成されている。
【００２５】
前記固定弁座体８は、図４乃至図７に示す如く、セラミック材により円盤状に形成されており、ボディ本体７′の弁室７ｇ内に弁室７ｇの底面へ密接する状態で挿着されている。この固定弁座体８は、図４乃至図７、図１０に示す如く、原水流入口７ａに原水流入通路７ｈを介して連通する扇形状の原水流入穴８ａと、原水流出口７ｃに原水流出通路７ｉを介して連通する扇形状の原水流出穴８ｂと、浄水流入口７ｄに浄水流入通路７ｊを介して連通する扇形状の浄水流入穴８ｃと、原水浄水流出口７ｅに原水浄水流出通路７ｋを介して連通する扇形状の原水浄水流出穴８ｄと、弁室８ｇ内に形成した位置決め突起７ｏに係止される複数の位置決め用切欠８ｅとを備えている。
【００２６】
前記弁体９は、図４乃至図７に示す如く、セラミック材により円盤状に形成されており、ボディ本体７′の弁室７ｇ内に挿入されて固定弁座体８の前面へ気密状態で且つ摺動回転自在に当接している。この弁体９の背面側には、図４乃至図７、図１１に示す如く、固定弁座体８の原水流入穴８ａと原水流出穴８ｂ又は原水流出穴８ｂと浄水流入穴８ｃを夫々連通させる半円形状に形成された凹状の第１通路９ａと、固定弁座体８の浄水流入穴８ｃと原水浄水流出穴８ｄ又は原水流入穴８ａと原水浄水流出穴８ｄを夫々連通させる半円形状に形成された凹状の第２通路９ｂとが夫々形成されている。
又、弁体９の正面側外周縁部には、ディスクハンドル１０Ａに形成した複数の係止突起１０ａに係止される切欠９ｃが等角度毎に形成されている。
【００２７】
前記操作部１０は、図４乃至図７に示す如く、プラスチック材又は金属材により形成されたディスクハンドル１０Ａと、一端部がディスクハンドル１０Ａに嵌合されると共に、他端部が浄水器用容器Ａ外へ突出するシャフト１０Ｂと、浄水器用容器Ａ外に位置してシャフト１０Ｂの他端部に固定された操作ハンドル１０Ｃとから成り、操作ハンドル１０Ｃを正逆回転方向へ回転させると、シャフト１０Ｂ及びディスクハンドル１０Ａが同じ方向へ回転し、弁体９を回転操作することができるようになっている。この操作部１０は、弁体９を正逆転方向へ９０度回転させることができるようになっている。
【００２８】
具体的には、ディスクハンドル１０Ａは、図４乃至図７、図１２に示す如く、ボディ７のカバー７″と弁体９との間の回転自在に収容され、弁体９の各切欠９ｃに係止される複数の係止突起１０ａを備えた円盤部１０ｂと、円盤部１０ｂに連設され、カバー７″の軸穴７ｎにＯリング１２を介して気密状に挿通される軸部１０ｃとから成り、円盤部１０ｂの前面側外周縁部に形成した円弧状の切欠１０ｄにカバー７″の内面に形成した突起（図示省略）を嵌め込むことによって、正逆転方向へ９０度回転させることができるようになっている。
又、シャフト１０Ｂは、図３に示す如く、容器本体４の周壁部４ｄの下端部位置に気密状に挿通固定された筒状のシャフトベース４ｈにＯリング１２を介して気密状態で且つ回転自在に挿通されており、一端部がディスクハンドル１０Ａの軸部１０ｃの先端に嵌合されていると共に、他端部が浄水器用容器Ａ外へ突出した状態となっている。
更に、操作ハンドル１０Ｃは、図１及び図３に示す如く、略四角棒状に形成されており、シャフトベース４ｈから容器本体４外へ突出するシャフト１０Ｂの他端部にボルトにより固定されている。
【００２９】
而して、上述したバイパス切換弁Ｖは、図１及び図２に示す如く、容器本体４内の底部に内蔵され、ボディ７の原水流入用接続部７ｂが容器本体４の流入口４ａを形成する入口側配管４ｆ内に挿着した筒状の接続管１３にＯリング１２を介して気密状に挿着されていると共に、ボディ７の原水浄水流出用接続部７ｆが容器本体４の流出口４ｂを形成する出口側配管４ｇにＯリング１２を介して気密状に挿着されており、操作ハンドル１０Ｃを一方向へ回転操作して弁体９を９０度回転させ、弁体９の第１通路９ａを固定弁座体８の原水流入穴８ａ及び原水流出穴８ｂに、弁体９の第２通路９ｂを固定弁座体８の浄水流入穴８ｃ及び原水浄水流出穴８ｄに夫々合致させると、浄水器用容器Ａの流入口４ａから流入した水道水Ｗが浄水器用容器Ａ内へ放出され、カートリッジフィルターＢを通過した浄化された水道水Ｗ′が浄水流入口７ｄから浄水器用容器Ａの流出口４ｂへ流れる浄水方向へ切り換えられ、又、操作ハンドル１０Ｃを前記と反対方向へ回転操作して弁体９を反対方向へ９０度回転させ、弁体９の第１通路９ａを固定弁座体８の原水流出穴８ｂ及び原水浄水流入穴８ｃに、弁体９の第２通路９ｂを固定弁座体８の原水流入穴８ａ及び原水浄水流出穴８ｄに夫々合致させると、浄水器用容器Ａの流入口４ａから流入した水道水Ｗが直接浄水器用容器Ａの流出口４ｂへ流れるバイパス方向へ切り換えられようになっている。
【００３０】
即ち、このバイパス切換弁Ｖによれば、バイパス切換弁Ｖを浄水方向へ切り換えると、浄水器用容器Ａの流入口４ａからボディ７の原水流入口７ａに流入した水道水Ｗが、ボディ７の原水流入通路７ｈ、固定弁座体８の原水流入穴８ａ、弁体９の第１通路９ａ、固定弁座体８の原水流出穴８ｂ及びボディ７の原水流出通路７ｉを経て原水流出口７ｃから浄水器用容器Ａ内に放出された後、カートリッジフィルターＢを通過してカートリッジフィルターＢの流出口からボディ７の浄水流入口７ｄへ流入し、ボディ７の浄水流入通路７ｊ、固定弁座体８の浄水流入穴８ｃ、弁体９の第２通路９ｂ、固定弁座体８の原水浄水流入穴８ｃ及びボディ７の原水浄水流出通路７ｋを経て原水浄水流出口７ｅから浄水器用容器Ａの流出口４ｂへ流れるようになっている。
【００３１】
一方、バイパス切換弁Ｖをバイパス方向へ切り換えると、浄水器用容器Ａの流入口４ａからボディ７の原水流入口７ａに流入した水道水Ｗが、ボディ７の原水流入通路７ｈ、固定弁座体８の原水流入穴８ａ、弁体９の第２通路９ｂ、固定弁座体８の原水浄水流出穴８ｄ及びボディ７の原水浄水流出通路７ｋを経て原水浄水流出口７ｅから浄水器用容器Ａの流出口４ｂへ流れるようになっている。このとき、ボディ７の原水流出口７ｃと浄水流入口７ｄとが、原水流出通路７ｉ、浄水流入通路７ｊ、固定弁座体８の原水流出穴８ｂ、固定弁座体８の浄水流入穴８ｃ、弁体９の第１通路９ａを介して連通状態になっているため、浄水器用容器Ａの流入口４ａからボディ７の原水流入口７ａに流入した水道水Ｗが浄水器用容器Ａ内に放出されたり、浄水器用容器Ａ内の水道水Ｗが浄水器用容器Ａの流出口４ｂから放出されたりすることがない。
【００３２】
次に、上述した浄水器用容器Ａを用いた浄水器を使用する場合について説明する。
前記浄水器は、一般家庭の水道メーターの下流側の水道管に介設されており、浄水器用容器Ａの流入口４ａには、水道メーターに接続された水道管（給水配管）の下流側端部が接続され、又、浄水器用容器Ａの流出口４ｂには、家庭内の水道蛇口や給湯機器等の末端の水道機器に水道水Ｗを夫々供給する水道管（室内配管）の上流側端部が接続されている。
【００３３】
而して、前記浄水器を用いて原水である水道水Ｗを浄化するには、浄水器用容器Ａ外に位置するバイパス切換弁Ｖの操作ハンドル１０Ｃを回動操作し、バイパス切換弁Ｖを浄水方向へ切り換える。そうすると、上流側の水道管（給水配管）からの水道水Ｗは、浄水器用容器Ａの流入口４ａ及び接続管１３からバイパス切換弁Ｖの原水流入口７ａに流入し、バイパス切換弁Ｖの原水流入通路７ｈ、原水流入穴８ａ、第１通路９ａ、原水流出穴８ｂ、原水流出通路７ｉ及び原水流出口７ｃを経て浄水器用容器Ａ内に放出される。浄水器用容器Ａ内に放出された水道水Ｗは、浄水器用容器Ａ内に収納したカートリッジフィルターＢを通過し、カートリッジフィルターＢにより塩素等の有害物質が除去されて浄化処理された後、カートリッジフィルターＢの流出口からバイパス切換弁Ｖの浄水流入口７ｄへ流入し、バイパス切換弁Ｖの浄水流入通路７ｊ、浄水流入穴８ｃ、第２通路９ｂ、原水浄水流入穴８ｃ、原水浄水流出通路７ｋ、原水浄水流出口７ｅ、浄水器用容器Ａの流出口４ｂ及び下流側の水道管（室内配管）を通って室内へ送られ、飲料用や調理用、洗面用等に使用される。
【００３４】
そして、長期間使用した浄水器のカートリッジフィルターＢを交換する場合や浄水器を保守点検する場合には、浄水器用容器Ａ外に位置するバイパス切換弁Ｖの操作ハンドル１０Ｃを前記反対方向へ回動操作し、バイパス切換弁Ｖをバイパス方向へ切り換える。そうすると、上流側の水道管（給水配管）からの水道水Ｗは、浄水器用容器Ａの流入口４ａ及び接続管１３からバイパス切換弁Ｖの原水流入口７ａに流入し、バイパス切換弁Ｖの原水流入通路７ｈ、原水流入穴８ａ、第２通路９ｂ、原水浄水流出穴８ｄ、原水浄水流出通路７ｋ、原水浄水流出口７ｅ、浄水器用容器Ａの流出口４ｂ及び下流側の水道管（室内配管）を通って室内へ送られる。即ち、上流側の水道管からの水道水Ｗは、浄水器のカートリッジフィルターＢを通過せずにバイパス切換弁Ｖを通って室内側へ送られる。従って、その間に浄水器の浄水器用容器Ａを開放してカートリッジフィルターＢの交換や浄水器の保守点検を行える。
【００３５】
バイパス切換弁Ｖを内蔵した浄水器用容器Ａを用いた浄水器は、バイパス切換弁Ｖを切り換え操作することによって、水道水Ｗの流れを浄水方向又はバイパス方向へ切り換えられる構成としているため、カートリッジフィルターＢの交換や浄水器の保守点検等を行う際には、バイパス切換弁Ｖを操作して水道水Ｗの流れをバイパス方向へ切り換えることによって、水道水Ｗの流れを止めることなく、カートリッジの交換や浄水器の保守点検等を行うことができる。その結果、バイパス切換弁Ｖを内蔵した浄水器用容器Ａを浄水器に用いれば、カートリッジの交換時や浄水器の保守点検時等でも給水を停止する必要がなく、家庭内で常時水道水Ｗを使用することができる。
又、バイパス切換弁Ｖを内蔵した浄水器用容器Ａを用いた浄水器は、浄水器用容器Ａ内にバイパス機能を有するバイパス切換弁Ｖを内蔵し、当該バイパス切換弁Ｖの操作ハンドのみを浄水器用容器Ａ外へ配設する構成としているため、容器本体４の設置スペースで設置が可能であり、設置スペースが小さくて済み、マンション等の狭い設置スペースであっても、設置が可能となる。
更に、バイパス切換弁Ｖを内蔵した浄水器用容器Ａを用いた浄水器は、浄水器用容器Ａ内にバイパス機能を有するバイパス切換弁Ｖを一つだけ内蔵しているため、外部への水漏れの可能性が殆ど無くなると共に、製作コストの低減を図れる。
【産業上の利用可能性】
【００３６】
本発明は、一般家庭や集合住宅の浄水器のみならず工場等の一般産業設備の給水装置にも適用することができる。
【図面の簡単な説明】
【００３７】
【図１】本発明の実施の形態に係る浄水器用容器を用いた浄水器の正面図である。
【図２】同じく浄水器の縦断正面図である。
【図３】同じく浄水器の要部の縦断側面図である。
【図４】浄水方向に切り換えたバイパス切換弁を示し、（Ａ）は原水流出通路及び原水流入通路部分で切断した状態のバイパス切換弁の縦断側面図、（Ｂ）は浄水流入通路及び原水浄水流出通路部分で切断した状態のバイパス切換弁の縦断側面図である。
【図５】浄水方向に切り換えたバイパス切換弁を示し、（Ａ）は原水流入通路及び原水浄水流出通路部分で切断した状態のバイパス切換弁の横断平面図、（Ｂ）は原水流出通路及び浄水流入通路部分で切断した状態のバイパス切換弁の横断平面図である。
【図６】バイパス方向に切り換えたバイパス切換弁を示し、（Ａ）は原水流出通路及び原水流入通路部分で切断した状態のバイパス切換弁の縦断側面図、（Ｂ）は浄水流入通路及び原水浄水流出通路部分で切断した状態のバイパス切換弁の縦断側面図である。
【図７】バイパス方向に切り換えたバイパス切換弁を示し、（Ａ）は原水流入通路及び原水浄水流出通路部分で切断した状態のバイパス切換弁の横断平面図、（Ｂ）は原水流出通路及び浄水流入通路部分で切断した状態のバイパス切換弁の横断平面図である。
【図８】バイパス切換弁のボディを示し、（Ａ）ボディの正面図、（Ｂ）ボディの平面図、（Ｃ）はボディの側面図である。
【図９】バイパス切換弁のボディを示し、（Ａ）原水流出通路及び原水流入通路部分で切断した状態のボディの縦断側面図、（Ｂ）浄水流入通路及び原水浄水流出通路部分で切断した状態のボディの縦断側面図、（Ｃ）は原水流入通路及び原水浄水流出通路部分で切断した状態のボディの横断平面図、（Ｄ）原水流出通路及び浄水流入通路部分で切断した状態のボディの横断平面図である。
【図１０】バイパス切換弁の固定弁座体を示し、（Ａ）は固定弁座体の正面図、（Ｂ）は固定弁座体の側面図、（Ｃ）は固定弁座体の背面図である。
【図１１】バイパス切換弁の弁体を示し、（Ａ）は弁体の正面図、（Ｂ）は弁体の側面図、（Ｃ）は弁体の背面図である。
【図１２】バイパス切換弁のディスクハンドルを示し、（Ａ）はディスクハンドルの正面図、（Ｂ）はディスクハンドルの側面図、（Ｃ）はディスクハンドルの背面図である。
【図１３】従来のバイパス機能を有する浄水器の概略正面図である。
【符号の説明】
【００３８】
Ａは浄水器用容器、Ｂはカートリッジフィルター、Ｖはバイパス切換弁、Ｗは原水である水道水、Ｗ′は浄化された水道水、４ａは浄水器用容器の流入口、４ｂは浄水器用容器の流出口、７はボディ、７ａは原水流入口、７ｃ原水流出口、７ｄは浄水流入口、７ｅは原水浄水流出口、８は固定弁座体、８ａは原水流入穴、８ｂは原水流出穴、８ｃは浄水流入穴、８ｄは原水浄水流出穴、９は弁体、１０は操作部、１０Ｃは操作ハンドル。
【図１】
2008104902.tif 000003
【図２】
2008104902.tif 000004
【図３】
2008104902.tif 000005
【図４】
2008104902.tif 000006
【図５】
2008104902.tif 000007
【図６】
2008104902.tif 000008
【図７】
2008104902.tif 000009
【図８】
2008104902.tif 000010
【図９】
2008104902.tif 000011
【図１０】
2008104902.tif 000012
【図１１】
2008104902.tif 000013
【図１２】
2008104902.tif 000014
【図１３】
2008104902.tif 000015